(57)【要約】      （修正有）【課題】履き捨てられた履物（靴、スリッパ、サンダル，等）を腰を曲げる事無く１８０度反転させ、次に履く際に履き易くすることができる自動履物反転器を提供する。【解決手段】自動履物反転器は、本体２の固定ノズル１にて履物左右内側をはさみ込み、その状態で器具本体を持ち上げ、本体握りハンドル４に組み込まれた切りミゾにより１８０度自動反転することができる。また履物を地面に戻すと、器具本体に組み込まれた戻しバネ７により器具は元の状態に戻る。【選択図】図２
0003146634.tif 000002
【実用新案登録請求の範囲】
【請求項１】
履き捨てられた履物（靴。スリッパ。サンダル等）を、次に履くときに、履きやすくする為に、器具により持ち上げ時自動反転させる機能を備えた工具を目的とした器具である。
【考案の詳細な説明】
【技術分野】
【０００１】本考案は履物（靴、スリッパ、サンダル等）を反転させ、次に履くとき履きやすくさせる為に、手による方法でなく、立ち姿勢で、容易く自動反転させ、履きやすくさせるための器具に関する。
【背景技術】
【０００２】従来手による方法で、腰をおとし、手による方法で反転させている、これによる悪臭、手汚れ等となる。
【考案が解決する為の手段】
【０００３】
【０００４】そこで、履き捨てられて居る、そのままの状態の履物を、考案による器具に履物の両側（左、右、内側合わせ）をつまみ、器具を引き上げる事により、履物が自動反転する構造をとりいれた、考案器具にて反転させ、元の場所に揃えた状態で処理できる。
【考案の効果】
【０００５】よって  本考案の自動反転器により、腰を落とさず立ち姿勢で簡単に履きやすく、元の場所に自動反転させ揃えた状態で処理出来、次に履くとき履きやすくすることが、本考案の目的である。
【考案を実施するための最良の形態】
【０００６】本考案に依る履物反転器（１０）は、図（３）に示すごとく履き捨てられた履物の内側を固定ノズル（１）でつまみはさみ込む方法で、固定する操作レバー（３）にて固定、（６）の連動バネにより図（２）（４）の握りハンドルで履物を固定させる。（４）本体の握り部分を持ち上げることにより（５）（２）部分の反転機構がスライドで回転しながら上下に移動し履物を自動反転させる。これにより履き捨てられた（靴、サンダル、スリッパ等）が反転された事により履きやすくなる。
【図面の簡単な説明】
【０００７】
【図１】本考案に依る  履物自動反転器の断面部分図である。
【図２】本考案に依る  組み合わせ図である。
【図３】本考案に依る  履物固定図である。
【符号の説明】
【０００８】１．    履物固定ノズル
２．    本体
３．    操作レバー
４．    本体握りハンドル
５．    反転機構部分
６．    連動バネ
７．    戻しバネ
１０．  履物自動反転器
２０．  履物
【図１】
0003146634.tif 000003
【図２】
0003146634.tif 000004
【図３】
0003146634.tif 000005
【手続補正書】
【提出日】平成20年1月21日(2008.1.21)
【手続補正１】
【補正対象書類名】実用新案登録請求の範囲
【補正対象項目名】全文
【補正方法】変更
【補正の内容】
【実用新案登録請求の範囲】
【請求項１】
履き捨てられた履物（靴。スリッパ。サンダル等）を、次に履く際に、履きやすくする為に、履物を考案器具により、履物内側をハサミ込み固定ノズルにてレバー操作で履物を器具にて固定、この器具を履物固定されたままの状態で本体を持ち上げる、この際に手元本体に取り入れたレールにそいう、１８０度自動反転出来この状態で元に戻す。これ等のレバー操作により履物を固定し持ち上げる事による機能を備えた自動反転器具を目的とした考案器具である。
【手続補正書】
【提出日】平成20年5月7日(2008.5.7)
【手続補正１】
【補正対象書類名】実用新案登録請求の範囲
【補正対象項目名】全文
【補正方法】変更
【補正の内容】
【実用新案登録請求の範囲】
【請求項１】
（１）通常履き捨てられた履物（靴、スリッパ、サンダル等）を、次に履く際に、履きやすく反転させ、
（２）履物左右内側をハサミ込み、固定ノズルにて手元レバー操作で履物を立ち姿勢で１８０度自動反転させ、
（３）履物を固定状態で持ち上げる事により反転、履き易くする、
以上の構成からなる自動履物反転器具。
【手続補正２】
【補正対象書類名】明細書
【補正対象項目名】全文
【補正方法】変更
【補正の内容】
【考案の詳細な説明】
【技術分野】
【０００１】本考案は履物（靴、スリッパ、サンダル等）を反転させ、次に履くとき履きやすくさせる為に、手による方法でなく、立ち姿勢で、容易なく手元で自動反転させ、履きやすくする事備えた自動反転器具、
【背景技術】
【０００２】従来手による方法で、腰をおとし、手による方法で反転させている、これによる悪臭、手汚れ等となり通常処理されない状態、
【考案が解決する為の手段】
【０００３】
【０００４】そこで、履き捨てられて居る、そのままの状態の履物を、器具に履物の両側（左、右、内側合わせ）をつまみ、固定後本体を引き上げる事で、履物が自動反転する構成をとりいれる、元の場所に揃えた状態で処理できることを備えた自動反転器具、
【考案の効果】
【０００５】よって  本考案の自動反転器により、腰を落とさず立ち姿勢で簡単に手元操作で履きやすく、元の場所に自動反転させ揃えた状態で処理出来、次に履くとき履きやすくすることを備えた自動反転器具、
【考案を実施するための最良の形態】
【０００６】本考案に依る履物反転器（全体図）１０、［図３］に示すごとく履き捨てられた履物の内側を固定ノズル（１）（２）で摘まみハサミ込む方法で、操作レバー（３）にて固定、（６）の連動バネにより、握りハンドル（４）で履物を固定、（７）戻しバネで本体握りハンドルが動作位置帰る（４）本体の握り部分を持ち上げることにより（５）（２）部分の反転機構がスライドで回転しながら切りミゾにそって上下に移動し履物を自動反転、履き捨てられた（靴、サンダル、スリッパ等）が反転される事で履きやすさを備えた自動反転器具、
【図面の簡単な説明】
【０００７】
【図１】本考案に依る  履物自動反転器の断面部分図、
【図２】本考案に依る  組み合わせ全体図、
【図３】本考案に依る  履物固定図、
【符号の説明】
【０００８】１．    履物固定ノズル
２．    本体
３．    操作レバー
４．    本体握りハンドル
５．    反転機構部分
６．    連動バネ
７．    戻しバネ
１０．  履物自動反転器（全体図）
２０．  履物
【手続補正３】
【補正対象書類名】図面
【補正対象項目名】全図
【補正方法】変更
【補正の内容】
【図１】
0003146634.tif 000006
【図２】
0003146634.tif 000007
【図３】
0003146634.tif 000008
【手続補正書】
【提出日】平成20年8月25日(2008.8.25)
【手続補正１】
【補正対象書類名】実用新案登録請求の範囲
【補正対象項目名】全文
【補正方法】変更
【補正の内容】
【実用新案登録請求の範囲】
【請求項１】
（１）通常履き捨てられた履物（靴、スリッパ、サンダル等）で現在、人が腰を落として手により、次に履きやすく反回転（１８０度）させている、この動作を立ち姿勢で考案器具を使い反回転（１８０度）させる、
（２）本体の固定ノズルにて、履物左右内側をハサミ込み、そのままで器具本体を持ち上げる、この時本体握りハンドルに組み込まれた切りミゾにより自動反回転（１８０度）出来て立ち姿勢で１８０度自動反転させる、
（３）履物を反回転状態で地面に戻す、この際器具本体に組み込まれた戻しバネにより器具は元の状態に戻り次の動作に移れる、
以上の構成からなる自動履物反転器具。